【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
ユーザにより申請される伝票の処理を行うクライアント装置と、前記伝票毎に個別承認画面を表示することなく一括して承認するための一括承認ルールを記憶するサーバとがネットワークを介して接続しているワークフローシステムであって、
前記伝票の状態が、承認済みか否かを識別する情報を記憶する記憶手段と、
前記記憶手段により記憶された伝票のうち、該伝票の状態が承認済みでない伝票を承認対象一覧画面に抽出する抽出手段と、
前記抽出手段により前記承認対象一覧画面に抽出された前記承認済みでない伝票から、承認対象として複数の伝票の選択を受け付ける選択受付手段と、
前記選択受付手段により承認対象として選択を受け付けた前記複数の伝票を、前記選択された伝票毎に一括承認が可能であるか否かを、前記一括承認ルールを用いることにより判定する判定手段と、
前記判定手段により一括承認が可能であると判定された複数の伝票に対して、前記伝票毎に承認画面を表示することなく一括承認制御を行う一括承認手段と、
前記選択受付手段により承認対象として選択を受け付けた複数の伝票を個別に承認すべく、個別承認画面を表示してユーザによる承認指示を受け付けることにより１つの帳票ごとに承認処理を行う個別承認手段とを備え、
前記個別承認手段は、
承認すべき複数の伝票を個別に承認すべく、前記個別承認画面で承認後に前記承認対象一覧画面に表示させずに、前記個別承認画面を連続して表示することで承認処理を行う連続承認手段と、
承認すべき複数の伝票を個別に承認すべく、前記個別承認画面を連続して表示させずに、前記個別承認画面で承認後に前記承認対象一覧画面に表示を変更する承認処理を行う単一承認手段と
を備えることを特徴とするワークフローシステム。
【請求項２】
前記個別承認画面を表示させたときに、前記連続承認手段による前記複数の伝票の個別承認画面を連続して表示する連続承認と、前記単一承認手段による前記複数の伝票を承認するための前記個別承認画面を連続して表示させない単一承認とを含む承認処理モードの選択を受け付け付ける承認処理モード選択受付手段
を更に備えることを特徴とする請求項１に記載のワークフローシステム。
【請求項３】
前記伝票毎に前記個別承認画面を表示することなく複数の伝票を一括して承認処理を行うための一括承認ルールを登録する登録手段
を更に備えることを特徴とする請求項１または２に記載のワークフローシステム。
【請求項４】
前記登録手段により前記一括承認をするためのルールが登録されていない場合、前記選択受付択手段でユーザからの選択を受付けた前記複数の伝票に対して、前記個別承認手段による承認処理を行うことを特徴とする請求項３に記載のワークフローシステム。
【請求項５】
ユーザにより申請される伝票の処理を行うクライアント装置と、前記伝票毎に個別承認画面を表示することなく一括して承認するための一括承認ルールと前記伝票の状態が、承認済みか否かを識別する情報をを記憶するサーバとがネットワークを介して接続しているワークフローシステムの制御方法であって、
前記ワークフローシステムの抽出手段が、前記記憶手段により記憶された伝票のうち、該伝票の状態が承認済みでない伝票を承認対象一覧画面に抽出する抽出ステップと、
前記ワークフローシステムの選択受付手段が、前記抽出ステップにより前記承認対象一覧画面に抽出された前記承認済みでない伝票から、承認対象として複数の伝票の選択を受け付ける選択受付ステップと、
前記ワークフローシステムの判定手段が、前記選択受付ステップにより承認対象として選択を受け付けた前記複数の伝票を、前記選択された伝票毎に一括承認が可能であるか否かを、前記一括承認ルールを用いることにより判定する判定ステップと、
前記ワークフローシステムの一括承認手段が、前記判定ステップにより一括承認が可能であると判定された複数の伝票に対して、前記伝票毎に承認画面を表示することなく一括承認制御を行う一括承認ステップと、
前記ワークフローシステムの個別承認手段が、前記選択受付ステップにより承認対象として選択を受け付けた複数の伝票を個別に承認すべく、個別承認画面を表示してユーザによる承認指示を受け付けることにより１つの帳票ごとに承認処理を行う個別承認ステップとを含み、
前記個別承認ステップは、
前記ワークフローシステム連続承認手段が、承認すべき複数の伝票を個別に承認すべく、前記個別承認画面で承認後に前記承認対象一覧画面に表示させずに、前記個別承認画面を連続して表示することで承認処理を行う連続承認ステップと、
前記ワークフローシステムの単一承認手段が、承認すべき複数の伝票を個別に承認すべく、前記個別承認画面を連続して表示させずに、前記個別承認画面で承認後に前記承認対象一覧画面に表示を変更する承認処理を行う単一承認ステップ
とを含むことを特徴とする制御方法。
【請求項６】
ユーザにより申請される伝票の処理を行うクライアント装置と、前記伝票毎に個別承認画面を表示することなく一括して承認するための一括承認ルールと、前記伝票の状態が、承認済みか否かを識別する情報を記憶するサーバとがネットワークを介して接続しているワークフローシステムを制御するプログラムであって、
前記ワークフローシステムを、
前記伝票の状態が、承認済みか否かを識別する情報を記憶する記憶手段と、
前記記憶手段により記憶された伝票のうち、該伝票の状態が承認済みでない伝票を承認対象一覧画面に抽出する抽出手段と、
前記抽出手段により前記承認対象一覧画面に抽出された前記承認済みでない伝票から、承認対象として複数の伝票の選択を受け付ける選択受付手段と、
前記選択受付手段により承認対象として選択を受け付けた前記複数の伝票を、前記選択された伝票毎に一括承認が可能であるか否かを、前記一括承認ルールを用いることにより判定する判定手段と、
前記判定手段により一括承認が可能であると判定された複数の伝票に対して、前記伝票毎に承認画面を表示することなく一括承認制御を行う一括承認手段と、
前記選択受付手段により承認対象として選択を受け付けた複数の伝票を個別に承認すべく、個別承認画面を表示してユーザによる承認指示を受け付けることにより１つの帳票ごとに承認処理を行う個別承認手段として機能させ、
前記個別承認手段は、
承認すべき複数の伝票を個別に承認すべく、前記個別承認画面で承認後に前記承認対象一覧画面に表示させずに、前記個別承認画面を連続して表示することで承認処理を行う連続承認手段と、
承認すべき複数の伝票を個別に承認すべく、前記個別承認画面を連続して表示させずに、前記個別承認画面で承認後に前記承認対象一覧画面に表示を変更する承認処理を行う単一承認手段
として機能させることを特徴とするコンピュータで読み取り実行可能なプログラム。
【手続補正２】
【補正対象書類名】明細書
【補正対象項目名】００１２
【補正方法】変更
【補正の内容】
【００１２】
即ち、本発明のワークフローシステムは、ユーザにより申請される伝票の処理を行うクライアント装置と、前記伝票毎に個別承認画面を表示することなく一括して承認するための一括承認ルールを記憶するサーバとがネットワークを介して接続しているワークフローシステムであって、前記伝票の状態が、承認済みか否かを識別する情報を記憶する記憶手段と、前記記憶手段により記憶された伝票のうち、該伝票の状態が承認済みでない伝票を承認対象一覧画面に抽出する抽出手段と、前記抽出手段により前記承認対象一覧画面に抽出された前記承認済みでない伝票から、承認対象として複数の伝票の選択を受け付ける選択受付手段と、前記選択受付手段により承認対象として選択を受け付けた前記複数の伝票を、前記選択された伝票毎に一括承認が可能であるか否かを、前記一括承認ルールを用いることにより判定する判定手段と、前記判定手段により一括承認が可能であると判定された複数の伝票に対して、前記伝票毎に承認画面を表示することなく一括承認制御を行う一括承認手段と、前記選択受付手段により承認対象として選択を受け付けた複数の伝票を個別に承認すべく、個別承認画面を表示してユーザによる承認指示を受け付けることにより１つの帳票ごとに承認処理を行う個別承認手段とを備え、前記個別承認手段は、承認すべき複数の伝票を個別に承認すべく、前記個別承認画面で承認後に前記承認対象一覧画面に表示させずに、前記個別承認画面を連続して表示することで承認処理を行う連続承認手段と、承認すべき複数の伝票を個別に承認すべく、前記個別承認画面を連続して表示させずに、前記個別承認画面で承認後に前記承認対象一覧画面に表示を変更する承認処理を行う単一承認手段とを備えることを特徴とする。